(57)【特許請求の範囲】
【請求項１】
一方向に延びており、かつ、内部に空間が形成されており、かつ、一方向の一端を閉塞した底部を有し、かつ、該底部とは反対側である一方向の他端に、内部と外部を連通する開口部が形成された器体と、
該器体を支持可能な支持部と、該支持部の前記器体に接触する支持面に対して略直交する方向へ同支持部から延びる柱部と、該柱部が延びる方向に対して略直交する方向へ同柱部から前記支持部とは反対側へ突出する把持部とを有する保持体と、
該保持体の前記支持部を配置可能な受部と、該受部に取付けられており、かつ、同受部の配置面に対して略直交する方向へ同受部から延びており、かつ、延びる方向と同じ方向にスライド可能に同保持体の前記把持部を配置可能な案内枠体とを有する案内部と、
該案内部の前記案内枠体が延びる方向と同じ方向であると共に前記受部に近づく方向である第１の方向に前記把持部がスライドして同案内枠体に対して第１の位置に到達したときに、前記器体の前記開口部を閉塞可能であり、かつ、同案内部の同案内枠体が延びる方向と同じ方向であると共に同受部から離れる方向である第２の方向に同把持部がスライドして同案内枠体に対して第２の位置に到達したときに、同開口部を開放可能なカバー部とを備える
容器。
【請求項２】
前記カバー部は、第１のカバー部と、前記器体を挟んで前記第１のカバー部と対向して配置された第２のカバー部とで構成されており、
前記第１のカバー部は、前記器体が延びる方向に対して略直交する方向を中心に回動可能な第１の回動体と、該第１の回動体に屈曲可能に取付けられており、かつ、前記案内部の前記案内枠体に、同案内枠体が延びる方向に形成された第１のスライド経路を通ってスライド可能に同案内枠体に配置可能な第１のスライド体とを有し、
前記第２のカバー部は、前記第１の回動体と同じ回動中心で回動可能な第２の回動体と、該第２の回動体に屈曲可能に取付けられており、かつ、前記第１のスライド経路が形成された前記案内枠体に、同案内枠体が延びる方向に形成された第２のスライド経路を通ってスライド可能に同案内枠体に配置可能な第２のスライド体とを有し、
前記案内枠体が延びる方向に対して略直交する方向を中心に回動可能に前記受部の横に配置可能な本体と、該本体の回動面と同一平面内にて同本体から突出した第１の突出体と、前記本体の回動面と同一平面内にて前記第１の突出体の突出方向とは反対方向へ同本体から突出しており、かつ、同第１の突出体の質量よりも大きい質量を有する第２の突出体とを有し、かつ、前記第１のスライド経路と前記第２のスライド経路との間に配置された錘部をさらに備え、
該錘部と、前記第１のカバー部が前記開口部を開放しているときの同第１のカバー部の前記第１のスライド体との間の距離、並びに前記錘部と、前記第２のカバー部が前記開口部を開放しているときの同第２のカバー部の前記第２のスライド体との間の距離は、同錘部の前記本体が回動したときに前記第１の突出体と前記第２の突出体が、同第１のスライド体と同第２のスライド体に当接して同第１のスライド体と同第２のスライド体のスライドを抑制可能な距離である
請求項１に記載の容器。
【請求項３】
前記把持部は自重で前記第１の方向にスライド可能である
請求項１、または請求項２に記載の容器。
【請求項４】
前記保持体の前記支持部は、前記器体を着脱可能に支持可能である
請求項１、請求項２または請求項３に記載の容器。
【発明の詳細な説明】
【技術分野】
【０００１】
本発明は容器に関する。詳しくは、例えば飲料用の容器に係るものである。
【背景技術】
【０００２】
容器は、物品を保管したり、物品を輸送したりするときに幅広く用いられている道具である。
例えば、ポリエチレンテレフタラート（ＰＥＴ）樹脂を材料としたペットボトルは、飲料用容器として広く利用されている。
また、例えばマグカップは、取っ手が付いているためコーヒー飲料など比較的高温の飲料を摂取する場合に好適である。
【０００３】
また、近年、キャンピングや登山など野外活動が盛んに行われる中、野外での飲食の機会も増えている。
屋内での飲食に比べて野外での飲食では、風によって飛んできた飛来物や虫などが、容器内に入り込んでしまう可能性が高く、また、飲食物をテーブル上に置いたまま、釣りや遊泳などに興じることも多いため、放置された容器内に飛来物や虫などが入り込むことが問題となっていた。
【０００４】
そこで従来、様々な容器が提案されている。例えば特許文献１には、図８に示す飲料用容器が記載されている。
すなわち、特許文献１に記載の飲料用容器の容器本体５０１の上部には、カップ形状の口付部５０２が設けられている。
また、口付部５０２を覆う閉塞蓋５０３が容器本体５０１の上部に起伏回動開閉自在に設けられている。
また、容器本体５０１には、閉塞蓋５０３に係止して閉塞蓋５０３を閉塞状態に保持する係止部５０５が設けられている。
【０００５】
また、容器本体５０１には、係止部５０５の閉塞蓋５０３への係止状態を解除する解除操作部５０６が設けられている。
解除操作部５０６を解除操作することにより、閉塞蓋５０３が自動開放起動する。
【０００６】
また、容器本体５０１の側方に握持部５０７が突設されている。
また、解除操作部５０６は、容器本体５０１の上部の外周面であって、握持部５０７を握持した手５０８の親指５０８Ａが届く位置に設けられている。
【０００７】
解除操作部５０６を、握持部５０７を握持したまま親指５０８Ａで解除操作し、係止部５０５の閉塞蓋５０３への係止状態を解除すると、閉塞蓋５０３が自動開放起動して口付部５０２が露出するので、容器本体５０１を持ち上げて口付部５０２を口元へ運び、口付部５０２に口をつけて飲料を飲むことができる。
【先行技術文献】
【特許文献】
【０００８】
【特許文献１】特開２０１１−１７８４２０号公報
【発明の概要】
【発明が解決しようとする課題】
【０００９】
しかしながら、特許文献１に記載の飲料用容器においては、係止部の閉塞蓋への係止状態を解除して口付部を露出するために、解除操作部を解除操作する必要があり、また、口付部を覆うためには閉塞蓋を下方に伏せる動作も必要であったため、さらに口付部すなわち開口部の開閉が容易な容器が求められていた。
【００１０】
本発明は、以上の点に鑑みて創案されたものであり、容易に開口部の開閉を行うことができる容器を提供することを目的とする。
【課題を解決するための手段】
【００１１】
上記の目的を達成するために、本発明の容器は、一方向に延びており、かつ、内部に空間が形成されており、かつ、一方向の一端を閉塞した底部を有し、かつ、該底部とは反対側である一方向の他端に、内部と外部を連通する開口部が形成された器体と、該器体を支持可能な支持部と、該支持部の前記器体に接触する支持面に対して略直交する方向へ同支持部から延びる柱部と、該柱部が延びる方向に対して略直交する方向へ同柱部から前記支持部とは反対側へ突出する把持部とを有する保持体と、該保持体の前記支持部を配置可能な受部と、該受部に取付けられており、かつ、同受部の配置面に対して略直交する方向へ同受部から延びており、かつ、延びる方向と同じ方向にスライド可能に同保持体の前記把持部を配置可能な案内枠体とを有する案内部と、該案内部の前記案内枠体が延びる方向と同じ方向であると共に前記受部に近づく方向である第１の方向に前記把持部がスライドして同案内枠体に対して第１の位置に到達したときに、前記器体の前記開口部を閉塞可能であり、かつ、同案内部の同案内枠体が延びる方向と同じ方向であると共に同受部から離れる方向である第２の方向に同把持部がスライドして同案内枠体に対して第２の位置に到達したときに、同開口部を開放可能なカバー部とを備える。
【００１２】
ここで、一方向に延びており、かつ、内部に空間が形成されており、かつ、一方向の一端を閉塞した底部を有し、かつ、底部とは反対側である一方向の他端に、内部と外部を連通する開口部が形成された器体によって、器体の開口部から固体や液体を器体の内部に入れて器体の内部に収容したり、開口部から固体や液体を外部へ取出したりすることができる。
【００１３】
また、器体を支持可能な支持部と、支持部の器体に接触する支持面に対して略直交する方向へ支持部から延びる柱部と、柱部が延びる方向に対して略直交する方向へ柱部から支持部とは反対側へ突出する把持部とを有する保持体と、保持体の支持部を配置可能な受部と、受部に取付けられており、かつ、受部の配置面に対して略直交する方向へ受部から延びており、かつ、延びる方向と同じ方向にスライド可能に保持体の把持部を配置可能な案内枠体とを有する案内部とによって、案内枠体に沿って把持部をスライドさせることができる。すなわち、把持部は保持体の柱部から突出しており、保持体は器体を支持しているので、把持部をスライドさせることは器体をスライドさせることであり、結果、案内枠体に沿って器体をスライドさせることができる。
【００１４】
また、保持体の支持部を配置可能な受部と、受部に取付けられており、かつ、受部の配置面に対して略直交する方向へ受部から延びており、かつ、延びる方向と同じ方向にスライド可能に保持体の把持部を配置可能な案内枠体とを有する案内部と、案内部の案内枠体が延びる方向と同じ方向であると共に受部に近づく方向である第１の方向に把持部がスライドして案内枠体に対して第１の位置に到達したときに、器体の開口部を閉塞可能であり、かつ、案内部の案内枠体が延びる方向と同じ方向であると共に同受部から離れる方向である第２の方向に把持部がスライドして案内枠体に対して第２の位置に到達したときに、開口部を開放可能なカバー部とによって、把持部を第１の方向にスライドさせて第１の位置に到達させることで、器体の開口部をカバー部で閉じることができ、また、把持部を第２の方向にスライドさせて第２の位置に到達させることで、器体の開口部を開くことができる。
【００１５】
また、本発明において、「開口部を閉塞する（閉じる）」とは、カバー部が開口部全体を閉塞する（閉じる）ことを意味し、また、「開口部を開放する（開く）」とは、カバー部が開口部全体を開放する（開く）ことを意味する。
従って、把持部が第１の位置に到達したときにカバー部が開口部を閉塞し（閉じ）、把持部が第２の位置に到達したときにカバー部が開口部を開放する（開く）のであれば、把持部が第１の位置以外の位置及び第２の位置以外の位置例えば第１の位置と第２の位置の中間位置に存在しているときに、カバー部は開口部の一部を閉じ、かつ、開口部の他の部分を開けた状態とすることもできる。すなわち、把持部がスライドしているときに、カバー部も動くようにすることもできる。
また、把持部がスライドしているときにカバー部が動かないようにすることもできることは勿論である。
【００１６】
また、本発明の容器において、カバー部は、第１のカバー部と、器体を挟んで第１のカバー部と対向して配置された第２のカバー部とで構成されており、第１のカバー部は、器体が延びる方向に対して略直交する方向を中心に回動可能な第１の回動体と、第１の回動体に屈曲可能に取付けられており、かつ、案内部の前記案内枠体に、案内枠体が延びる方向に形成された第１のスライド経路を通ってスライド可能に案内枠体に配置可能な第１のスライド体とを有し、第２のカバー部は、第１の回動体と同じ回動中心で回動可能な第２の回動体と、第２の回動体に屈曲可能に取付けられており、かつ、第１のスライド経路が形成された案内枠体に、案内枠体が延びる方向に形成された第２のスライド経路を通ってスライド可能に案内枠体に配置可能な第２のスライド体とを有し、案内枠体が延びる方向に対して略直交する方向を中心に回動可能に受部の横に配置可能な本体と、本体の回動面と同一平面内にて本体から突出した第１の突出体と、本体の回動面と同一平面内にて第１の突出体の突出方向とは反対方向へ本体から突出しており、かつ、第１の突出体の質量よりも大きい質量を有する第２の突出体とを有し、かつ、第１のスライド経路と第２のスライド経路との間に配置された錘部をさらに備え、錘部と、第１のカバー部が開口部を開放しているときの第１のカバー部の第１のスライド体との間の距離、並びに錘部と、第２のカバー部が開口部を開放しているときの第２のカバー部の第２のスライド体との間の距離は、錘部の本体が回動したときに第１の突出体と第２の突出体が、第１のスライド体と第２のスライド体に当接して第１のスライド体と第２のスライド体のスライドを抑制可能な距離である構成とすることができる。
【００１７】
この場合、案内枠体が延びる方向に対して略直交する方向を中心に回動可能に受部の横に配置可能な本体と、本体の回動面と同一平面内にて本体から突出した第１の突出体と、本体の回動面と同一平面内にて第１の突出体の突出方向とは反対方向へ本体から突出しており、かつ、第１の突出体の質量よりも大きい質量を有する第２の突出体とを有し、かつ、第１のスライド経路と第２のスライド経路との間に配置された錘部によって、第１の突出体の質量より第２の突出体の質量の方が大きいので、錘部の本体が回動して第２の突出体は常に鉛直方向下向きになり、その結果、把持部を持って収容部を傾けても錘部の本体が回動し、第１の突出体と第２の突出体が、開口部を開放しているときの第１のスライド体と第２のスライド体に当接してスライドを抑制でき、開口部が開放した状態を維持し易い。
【００１８】
さらに、本発明の容器において、把持部は自重で第１の方向にスライド可能である構成とすることができる。
【００１９】
この場合、本発明の容器から手を離して本発明の容器を置いているときには、把持部が自重で第１の方向すなわち鉛直方向下向きにスライドして第１の位置に到達するので、本発明の容器を放置していてもカバー部が開口部を閉塞して本体の内部に塵など余計な物が入り込むことを抑制できる。
【００２０】
また、この場合、把持部を持って本発明の容器を持ち上げるときには、案内枠体が把持部に対して自重で鉛直方向下向きにスライドする、すなわち、把持部が相対的に第２の方向すなわち鉛直方向上向きにスライドして第２の位置に到達するので、本発明の容器を使用する際にはカバー部が開口部を開放して器体の内部に収容された内容物を取出し、例えば内容物が飲料であれば飲むことができる。
【００２１】
また、本発明の容器において、保持体の支持部は、器体を着脱可能に支持可能である構成とすることができる。
【００２２】
この場合、保持体から器体を分離できるので、器体と、保持体と、案内部と、カバー部それぞれの細部まで洗浄することができる。
【００２３】
また、上記の目的を達成するために、本発明の容器は、一方向に延びており、かつ、内部に空間が形成されており、かつ、一方向の一端を閉塞した底部を有し、かつ、該底部とは反対側である一方向の他端に、内部と外部を連通する開口部が形成された器体と、該器体の延びる方向に対して略直交する方向に拡がる平面内であって同器体と同じ平面内に位置しており、かつ、鉛直方向下向き及び鉛直方向上向きに移動可能である把持部と、鉛直方向下向きに前記把持部が移動して第１の位置に到達したときに、前記器体の前記開口部を閉塞可能であり、かつ、鉛直方向上向きに同把持部が移動して、同把持部が移動する方向において同第１の位置とは反対側の位置である第２の位置に到達したときに、同開口部を開放可能であるカバー部とを備える。
【００２４】
ここで、一方向に延びており、かつ、内部に空間が形成されており、かつ、一方向の一端を閉塞した底部を有し、かつ、該底部とは反対側である一方向の他端に、内部と外部を連通する開口部が形成された器体によって、器体の開口部から固体や液体を器体の内部に入れて器体の内部に収容したり、開口部から固体や液体を外部へ取出したりすることができる。
【００２５】
また、鉛直方向下向きに把持部が移動して第１の位置に到達したときに、器体の開口部を閉塞可能であり、かつ、鉛直方向上向きに把持部が移動して、把持部が移動する方向において第１の位置とは反対側の位置である第２の位置に到達したときに、開口部を開放可能であるカバー部によって、把持部を鉛直方向下向きに移動させて第１の位置に到達させることで、器体の開口部をカバー部で閉じることができ、また、把持部を鉛直方向上向きに移動させて第２の位置に到達させることで、器体の開口部を開くことができる。
【発明の効果】
【００２６】
本発明に係る容器は、容易に開口部の開閉を行うことができる。
【図面の簡単な説明】
【００２７】
【図１】手で持ち上げられて開口部が開放されたときの、本発明を適用した飲料用容器の一例を示す概略正面図である。
【図２】開口部が開放されたときの、本発明を適用した飲料用容器の一例を示す、概略平面図（ａ）及び概略側面図（ｂ）である。
【図３】本発明を適用した飲料用容器が備える案内部の一例を示す概略平面図（ａ）、及び第１の側壁部材と第２の側壁部材を取外した状態の案内部の一例を示す概略正面図（ｂ）である。
【図４】本発明を適用した飲料用容器が備える案内部の一例を示す概略側面図である。
【図５】天板上に置かれて開口部が閉塞されたときの、本発明を適用した飲料用容器の一例を示す概略正面図である。
【図６】開口部が閉塞されたときの、本発明を適用した飲料用容器の一例を示す、概略平面図（ａ）及び概略側面図（ｂ）である。
【図７】開口部が開放されていると共に傾けられた、本発明を適用した飲料用容器の一例を示す部分概略図である。
【図８】従来の飲料用容器を示す概略図である。
【発明を実施するための形態】
【００２８】
以下、本発明の実施の形態について図面を参照しながら説明し、本発明の理解に供する。
図１は、手で持ち上げられて開口部が開放されたときの、本発明を適用した飲料用容器の一例を示す概略正面図である。
また、図２（ａ）は、開口部が開放されたときの、本発明を適用した飲料用容器の一例を示す概略平面図であり、図２（ｂ）は、開口部が開放されたときの、本発明を適用した飲料用容器の一例を示す概略側面図である。
【００２９】
また、図３（ａ）は、本発明を適用した飲料用容器が備える案内部の一例を示す概略平面図であり、図３（ｂ）は、第１の側壁部材と第２の側壁部材を取外した状態の案内部の一例を示す概略正面図である。
また、図４は、本発明を適用した飲料用容器が備える案内部の一例を示す概略側面図である。
【００３０】
また、図５は、天板上に置かれて開口部が閉塞されたときの、本発明を適用した飲料用容器の一例を示す概略正面図である。なお、図５に示す形態は、案内部の第１の側壁部材と第２の側壁部材を取外した形態を示している。
また、図６（ａ）は、開口部が閉塞されたときの、本発明を適用した飲料用容器の一例を示す概略平面図であり、図６（ｂ）は、開口部が閉塞されたときの、本発明を適用した飲料用容器の一例を示す概略側面図である。
【００３１】
また、図７は、開口部が開放されていると共に傾けられた、本発明を適用した飲料用容器の一例を示す部分概略図である。
【００３２】
図１に示す本発明の飲料用容器１は、器体１０を備える。
ここで、器体１０は、一方向に延びており、かつ、内部に空間が形成されている。
また、器体１０は、一方向の一端を閉塞した底部１０Ａを有する。
【００３３】
また、飲料用容器は本発明の容器の一例であり、本発明の容器は必ずしも飲料用でなくてもよく、例えば固形物を収容するための容器でもよい。
【００３４】
また、器体１０の底部１０Ａとは反対側である一方向の他端に、内部と外部とを連通する開口部１０Ｂが形成されている。
また、器体１０が延びる方向に対して略直交する方向における形状は略円形である。
【００３５】
また、本発明の飲料用容器１は、保持体１１を備える。
ここで、保持体１１は、器体１０を着脱可能に支持可能な支持部１１１を有する。
【００３６】
また、保持体１１は、第１の柱部１１２を有する。
ここで、第１の柱部１１２は、支持部１１１の器体１０に接触する支持面１１１Ａに対して略直交する方向へ支持部１１１から延びている。
【００３７】
また、保持体１１は、第２の柱部１１３を有する。
ここで、第２の柱部１１３は、支持部１１１の器体１０に接触する支持面１１１Ａに対して略直交する方向へ支持部１１１から延びており、かつ、第１の柱部１１２が延びる方向と同じ方向に延びており、第１の柱部１１２と対向している。
【００３８】
また、第１の柱部１１２及び第２の柱部１１３それぞれの延びる方向に対して略直交する方向における支持部１１１の形状は略円形である。
【００３９】
また、保持体１１は、把持部１１４を有する。
ここで、把持部１１４は、第１の柱部１１２が延びる方向に対して略直交する方向であって第１の柱部１１２から支持部１１１とは反対側へ、すなわち第２の柱部１１３とは反対側へ突出する。
【００４０】
換言すると、把持部１１４は、器体１０の延びる方向に対して略直交する方向に拡がる平面内であって器体１０と同じ平面内に位置する、すなわち図１に示すように、器体１０の側方あるいは横に位置する。
【００４１】
また、把持部１１４は具体的には例えば、図に示すように、第１の柱部１１２が延びる方向に対して略直交する方向へ第１の柱部１１２から突出した２つの横構成部材と、２つの横構成部材の端部を互いに連結した、第１の柱部１１２が延びる方向と同じ方向へ延びる縦構成部材とで構成された略横Ｕ字形状を有する。
【００４２】
すなわち、横構成部材と縦構成部材とで囲まれた領域に空間が形成されており、この空間に指を通して手２で把持部１１４を持つことができる。
【００４３】
また、第１の柱部１１２と把持部１１４との間には、第１の柱部１１２が延びる方向と同じ方向に延びる、略平面形状を有する第１の指保護部１２Ａが取付けられている。
【００４４】
また、第２の柱部１１３の、第１の柱部１１２へ向いた側とは反対側の表面には、第２の柱部１１３が延びる方向と同じ方向に延びる、略平面形状を有する第２の指保護部１２Ｂが取付けられている。
【００４５】
また、第１の柱部１１２が延びる方向の一端からは、一対の第１の軸支持部１１２Ｂが、第１の柱部１１２の延びる方向と同じ方向へ突出している。
また、第１の軸支持部１１２Ｂは、互いに同じ方向へ突出しており、互いに離れている。
ここで、一対の第１の軸支持部１１２Ｂの中の一方、すなわち把持部１１４に近い方は、第１の指保護部１２Ａの、支持部１１１とは反対側の縁部から突出している。
【００４６】
また、一対の第１の軸支持部１１２Ｂは、円柱体である第１の回動軸体１１２Ａによって互いに連結されている。
すなわち、第１の回動軸体１１２Ａの一端が一対の第１の軸支持部１１２Ｂの一方に取付けられており、また第１の回動軸体１１２Ａの他端が一対の第１の軸支持部１１２Ｂの他方に取付けられている。
【００４７】
また、第２の柱部１１３が延びる方向の一端からは、一対の第２の軸支持部１１３Ｂが、第２の柱部１１３の延びる方向と同じ方向へ突出している。
また、第２の軸支持部１１３Ｂは、互いに同じ方向へ突出しており、互いに離れている。
ここで、一対の第２の軸支持部１１３Ｂの中の一方、すなわち把持部１１４から遠い方は、第２の指保護部１２Ｂの、支持部１１１とは反対側の縁部から突出している。
【００４８】
また、一対の第２の軸支持部１１３Ｂは、円柱体である第２の回動軸体１１３Ａによって互いに連結されている。
このように、第１の回動軸体１１２Ａが延びる方向及び第２の回動軸体１１３Ａが延びる方向はそれぞれ、第１の柱部１１２が延びる方向に対して略直交する方向及び第２の柱部１１３が延びる方向に対して略直交する方向である。
【００４９】
また、把持部１１４を構成する２つの横構成部材の中の、支持部１１１に近い方の横構成部材と、第１の柱部１１２の、支持部１１１に近い方の端部とは互いに同一平面内に位置する。
また、第１の柱部１１２の、支持部１１１に近い方の端部と、第２の柱部１１３の、支持部１１１に近い方の端部とは互いに同一平面内に位置する。
【００５０】
また、保持体１１は、保持部１１５を有する。
ここで、保持部１１５は、第１の柱部１１２と第２の柱部１１３とを連結している。
【００５１】
また、保持部１１５は、支持部１１１から離れている。
すなわち、保持部１１５は、第１の軸支持部１１２が突出した第１の柱部１１２の一端から、第１の軸支持部１１２の突出方向に対して略直交する方向と同じ方向に延びる平面内において延びている。
【００５２】
また、保持部１１５には、第１の柱部１１２または第２の柱部１１３が延びる方向と同じ方向に貫通した穴が形成されている。
また、第１の柱部１１２または第２の柱部１１３が延びる方向に対して略直交する方向における保持部１１５の形状は、形成された貫通穴の形状も含めて略円形である。
【００５３】
すなわち、保持部１１５に囲まれた空間が形成されており、この空間は器体１０を挿通できる大きさを有する。
ここで、保持部１１５は、器体１０の外径と略同じ内径を有し、保持部１１５に囲まれた空間に挿通された器体１０の外側表面は、保持部１１５の内側表面と接する。
【００５４】
また、保持部１１５と支持部１１１は互いに離れているので、保持部１１５に囲まれた空間に挿通された器体１０の外側表面は、保持部１１５と支持部１１１の間において露出している。
【００５５】
また、必ずしも保持部は支持部から離れていなくてもよく、保持部と支持部が一体となった構成とすることもできる。
【００５６】
本発明の飲料用容器１は、案内部１３を備える。
ここで、案内部１３は、受部１３１を有する。また、受部１３１は、保持体１１の支持部１１１を配置可能である。
また、保持体１１の支持部１１１が配置される面である配置面１３１Ａと同一平面における受部１３１の形状は略円形である。
【００５７】
また、案内部１３は、第１の案内枠体１３２を有する。
ここで、第１の案内枠体１３２は、受部１３１に取付けられている。
また、第１の案内枠体１３２は、受部１３１の配置面１３１Ａに対して略直交する方向へ受部１３１から延びている。
また、第１の案内枠体１３２は、第１の案内枠体１３２が延びる方向と同じ方向にスライド可能に、保持体１１の把持部１１４を配置可能である。
【００５８】
また、第１の案内枠体１３２は、受部１３１の配置面１３１Ａに対して略直交する方向へ受部１３１から延びた、平面状の第１の内側部材１３２Ｃを有する。
また、図示していないが、第１の内側部材１３２Ｃの一方の面と、この一方の面とは反対側の他方の面との間を貫通した第１の内側案内穴が形成されている。
【００５９】
また、第１の案内枠体１３２は、平面状の第１の外側部材１３２Ａを有する。
ここで、第１の外側部材１３２Ａは、第１の内側部材１３２Ｃが延びる方向と同じ方向に延びており、かつ、第１の内側部材１３２Ｃから離れて配置されており、かつ、第１の内側部材１３２Ｃよりも受部１３１から離れて配置されている。
また、第１の外側部材１３２Ａの一方の面と、この一方の面とは反対側の他方の面との間を貫通した第１の外側案内穴１３２Ｅが形成されている。
【００６０】
また、第１の内側案内穴及び第１の外側案内穴１３２Ｅはそれぞれ、第１の内側部材１３２Ｃが延びる方向及び第１の外側部材１３２Ａが延びる方向に延びている。
【００６１】
また、第１の案内枠体１３２は、第１の外側部材１３２Ａと第１の内側部材１３２Ｃとの間に配置された一対の平面状の第１の側壁部材１３２Ｂを有する。
また、第１の側壁部材１３２Ｂは、第１の外側部材１３２Ａが延びる方向及び第１の内側部材１３２Ｃが延びる方向と同じ方向に延びている。
【００６２】
また、第１の外側部材１３２Ａと第１の内側部材１３２Ｃは互いに対向している。
また、一対の第１の側壁部材１３２Ｂの対向方向と、第１の外側部材１３２Ａ及び第１の内側部材１３２Ｃの対向方向は互いに略直交する。
【００６３】
また、第１の側壁部材１３２Ｂは、第１の外側部材１３２Ａの延びる方向に延びる縁部及び第１の内側部材１３２Ｃの延びる方向に延びる縁部と同一平面内に位置する。
【００６４】
また、第１の案内枠体１３２は、受部１３１の配置面１３１Ａと同一平面内に位置する第１の底部材１３２Ｈを有する。
【００６５】
すなわち、第１の案内枠体１３２には、第１の外側部材１３２Ａと、一対の第１の側壁部材１３２Ｂと、第１の内側部材１３２Ｃと、第１の底部材１３２Ｈとで囲まれた空間が形成されている。
ここで、一対の第１の側壁部材１３２Ｂと第１の底部材１３２Ｈはそれぞれ、第１の外側部材１３２Ａと第１の内側部材１３２Ｃに接続されている。
【００６６】
また、第１の底部材１３２Ｈに接続された第１の外側部材１３２Ａの縁部とは反対側の縁部、及び第１の底部材１３２Ｈに接続された第１の内側部材１３２Ｃの縁部とは反対側の縁部に接続された部材はない。
すなわち、第１の案内枠体１３２に形成された空間は、第１の底部材１３２Ｈに接続された第１の外側部材１３２Ａの縁部とは反対側の縁部と、第１の底部材１３２Ｈに接続された第１の内側部材１３２Ｃの縁部とは反対側の縁部とで挟まれた領域を介して外部空間と連通している。
【００６７】
また、第１の側壁部材１３２Ｂの延びる方向の長さは、第１の外側部材１３２Ａの延びる方向の長さ及び第１の内側部材１３２Ｃの延びる方向の長さよりも短い。
【００６８】
また、第１の案内枠体１３２は、一対の第１の傾斜部材１３２Ｄを有する。
ここで、一対の第１の傾斜部材１３２Ｄはそれぞれ、第１の外側部材１３２Ａと第１の内側部材１３２Ｃの間に挟まれて第１の外側部材１３２Ａと第１の内側部材１３２Ｃに接しており、かつ、第１の底部材１３２Ｈに接続された第１の側壁部材１３２Ｂの縁部とは反対側の縁部に接続されている。
【００６９】
また、第１の側壁部材１３２Ｂに接続された第１の傾斜部材１３２Ｄの箇所とは反対側の箇所は、それぞれ２つの傾斜面が形成された山形の形状を有している。
【００７０】
すなわち、第１の傾斜部材１３２Ｄの頂部から第１の側壁部材１３２Ｂへ向けて徐々に、第１の側壁部材１３２Ｂが延びる方向と同じ方向における第１の傾斜部材１３２Ｄの長さが短くなっており、また、第１の傾斜部材１３２Ｄの頂部から第１の側壁部材１３２Ｂとは反対側へ向けて徐々に、第１の側壁部材１３２Ｂが延びる方向と同じ方向における第１の傾斜部材１３２Ｄの長さが短くなっている。
【００７１】
ここで、第１の傾斜部材１３２Ｄの頂部は、第１の側壁部材１３２Ｂの対向方向と同じ方向において、第１の傾斜部材１３２Ｄの略中央部分を示す。
【００７２】
また、第１の傾斜部材１３２Ｄは、第１の外側案内穴１３２Ｅや第１の内側案内穴と重ならない位置に配置されている。
すなわち、第１の傾斜部材１３２Ｄは、第１の外側案内穴１３２Ｅが形成されていない第１の外側部材１３２Ａの箇所、及び第１の内側案内穴が形成されていない第１の内側部材１３２Ｃの箇所と接して配置されている。
【００７３】
また、第１の傾斜部材１３２Ｄの、傾斜面が形成された箇所とは反対側の箇所は、第１の底部材１３２Ｈに接続された第１の側壁部材１３２Ｂの縁部とは反対側の縁部と同一平面内に位置している。
すなわち、第１の傾斜部材１３２Ｄの、傾斜面が形成された箇所とは反対側の箇所と、第１の底部材１３２Ｈとの間には、第１の案内枠体１３２が延びる方向に空間が形成されている。
【００７４】
また、案内部１３の第１の案内枠体１３２には、第１の案内枠体１３２が延びる方向と同じ方向にスライド可能に、保持体１１の把持部１１４が配置されている。
すなわち、第１の案内枠体１３２を構成する第１の外側部材１３２Ａの第１の外側案内穴１３２Ｅからは把持部１１４が突出しており、第１の柱部１１２が第１の案内枠体１３２に形成された空間内に配置されている。
【００７５】
ここで、第１の傾斜部材１３２Ｄの、傾斜面が形成された箇所とは反対側の箇所と、第１の底部材１３２Ｈとの間であって第１の案内枠体１３２が延びる方向に形成された空間は、第１の案内枠体１３２に形成された空間の一部であり、第１の柱部１１２が第１の案内枠体１３２に形成された空間内に配置されても空いている空間である。
【００７６】
またこのとき、第１の傾斜部材１３２Ｄの、傾斜面が形成された箇所とは反対側の箇所と、第１の底部材１３２Ｈとの間であって第１の案内枠体１３２が延びる方向に形成された空間は、第１の柱部１１２によって隔てられている。
【００７７】
また、一対の第１の軸支持部１１２Ｂを互いに連結している第１の回動軸体１１２Ａも、第１の案内枠体１３２に形成された空間内に配置されている。
【００７８】
また、把持部１１４を構成する２つの横構成部材の一方の横構成部材の外側面と他方の横構成部材の外側面との間の距離、すなわち一方の横構成部材の、他方の横構成部材に向けられた面とは反対側の面と、他方の横構成部材の、一方の横構成部材に向けられた面とは反対側の面との間の長さは、第１の外側案内穴１３２Ｅが延びる方向の長さよりも短い。
従って、２つの長さの差に相当する距離が、把持部１１４がスライドできる距離となる。
【００７９】
また、案内部１３は、第２の案内枠体１３３を有する。
ここで、第２の案内枠体１３３は、受部１３１に取付けられている。
また、第２の案内枠体１３３は、第１の案内枠体１３２が延びる方向と同じ方向へ受部１３１から延びており、第１の案内枠体１３２と対向している。
【００８０】
また、第２の案内枠体１３３は、受部１３１の配置面１３１Ａに対して略直交する方向へ受部１３１から延びた、平面状の第２の内側部材１３３Ｃを有する。
また、図示していないが、第２の内側部材１３３Ｃの一方の面と、この一方の面とは反対側の他方の面との間を貫通した第２の内側案内穴が形成されている。
【００８１】
また、第２の案内枠体１３３は、平面状の第２の外側部材１３３Ａを有する。
ここで、第２の外側部材１３３Ａは、第２の内側部材１３３Ｃが延びる方向と同じ方向に延びており、かつ、第２の内側部材１３３Ｃから離れて配置されており、第２の内側部材１３３Ｃよりも受部１３１から離れて配置されている。
また、図示していないが、第２の外側部材１３３Ａの一方の面と、この一方の面とは反対側の他方の面との間を貫通した第２の外側案内穴が形成されている。
【００８２】
また、第２の内側案内穴及び第２の外側案内穴はそれぞれ、第２の内側部材１３３Ｃが延びる方向及び第２の外側部材１３３Ａが延びる方向に延びている。
【００８３】
また、第２の案内枠体１３３は、第２の外側部材１３３Ａと第２の内側部材１３３Ｃとの間に配置された一対の平面状の第２の側壁部材１３３Ｂを有する。
また、第２の側壁部材１３３Ｂは、第２の外側部材１３３Ａが延びる方向及び第２の内側部材１３３Ｃが延びる方向と同じ方向に延びている。
【００８４】
また、第２の外側部材１３３Ａと第２の内側部材１３３Ｃは互いに対向している。
また、一対の第２の側壁部材１３３Ｂの対向方向と、第２の外側部材１３３Ａ及び第２の内側部材１３３Ｃの対向方向は互いに略直交する。
【００８５】
また、第２の側壁部材１３３Ｂは、第２の外側部材１３３Ａの延びる方向に延びる縁部及び第２の内側部材１３３Ｃの延びる方向に延びる縁部と同一平面内に位置する。
【００８６】
また、第２の案内枠体１３３は、受部１３１の配置面１３１Ａと同一平面内に位置する第２の底部材１３３Ｅを有する。
【００８７】
すなわち、第２の案内枠体１３３には、第２の外側部材１３３Ａと、一対の第２の側壁部材１３３Ｂと、第２の内側部材１３３Ｃと、第２の底部材１３３Ｅとで囲まれた空間が形成されている。
ここで、一対の第２の側壁部材１３３Ｂと第２の底部材１３３Ｅはそれぞれ、第２の外側部材１３３Ａと第２の内側部材１３３Ｃに接続されている。
【００８８】
また、第２の底部材１３３Ｅに接続された第２の外側部材１３３Ａの縁部とは反対側の縁部、及び第２の底部材１３３Ｅに接続された第２の内側部材１３３Ｃの縁部とは反対側の縁部に接続された部材はない。
すなわち、第２の案内枠体１３３に形成された空間は、第２の底部材１３３Ｅに接続された第２の外側部材１３３Ａの縁部とは反対側の縁部と、第２の底部材１３３Ｅに接続された第２の内側部材１３３Ｃの縁部とは反対側の縁部とで挟まれた領域を介して外部空間と連通している。
【００８９】
また、第２の側壁部材１３３Ｂの延びる方向の長さは、第２の外側部材１３３Ａの延びる方向の長さ及び第２の内側部材１３３Ｃの延びる方向の長さよりも短い。
【００９０】
また、第２の案内枠体１３３は、一対の第２の傾斜部材１３３Ｄを有する。
ここで、一対の第２の傾斜部材１３３Ｄはそれぞれ、第２の外側部材１３３Ａと第２の内側部材１３３Ｃの間に挟まれて第２の外側部材１３３Ａと第２の内側部材１３３Ｃに接しており、かつ、第２の底部材１３３Ｅに接続された第２の側壁部材１３３Ｂの縁部とは反対側の縁部に接続されている。
【００９１】
また、第２の側壁部材１３３Ｂに接続された第２の傾斜部材１３３Ｄの箇所とは反対側の箇所は、それぞれ２つの傾斜面が形成された山形の形状を有している。
【００９２】
すなわち、第２の傾斜部材１３３Ｄの頂部から第２の側壁部材１３３Ｂへ向けて徐々に、第２の側壁部材１３３Ｂが延びる方向と同じ方向における第２の傾斜部材１３３Ｄの長さが短くなっており、また、第２の傾斜部材１３３Ｄの頂部から第２の側壁部材１３３Ｂとは反対側へ向けて徐々に、第２の側壁部材１３３Ｂが延びる方向と同じ方向における第２の傾斜部材１３３Ｄの長さが短くなっている。
【００９３】
ここで、第２の傾斜部材１３３Ｄの頂部は、第２の側壁部材１３３Ｂの対向方向と同じ方向において、第２の傾斜部材１３３Ｄの略中央部分を示す。
【００９４】
また、第２の傾斜部材１３３Ｄは、第２の外側案内穴や第２の内側案内穴と重ならない位置に配置されている。
すなわち、第２の傾斜部材１３３Ｄは、第２の外側案内穴が形成されていない第２の外側部材１３３Ａの箇所、及び第２の内側案内穴が形成されていない第２の内側部材１３３Ｃの箇所と接して配置されている。
【００９５】
また、第２の傾斜部材１３３Ｄの、傾斜面が形成された箇所とは反対側の箇所は、第２の底部材１３３Ｅに接続された第２の側壁部材１３３Ｂの縁部とは反対側の縁部と同一平面内に位置している。
すなわち、第２の傾斜部材１３３Ｄの、傾斜面が形成された箇所とは反対側の箇所と、第２の底部材１３３Ｅとの間には、第２の案内枠体１３３が延びる方向に空間が形成されている。
【００９６】
また、第２の案内枠体１３３を構成する第２の外側部材１３３Ａの第２の外側案内穴からは、第２の柱部１１３の、第１の柱部１１２へ向いた側とは反対側の表面が僅かに露出して第２の指保護部１２Ｂが取付けられており、第２の柱部１１３は第２の案内枠体１３３に形成された空間内に配置されている。
【００９７】
ここで、第２の傾斜部材１３３Ｄの、傾斜面が形成された箇所とは反対側の箇所と、第２の底部材１３３Ｅとの間であって第２の案内枠体１３３が延びる方向に形成された空間は、第２の案内枠体１３３に形成された空間の一部であり、第２の柱部１１３が第２の案内枠体１３３に形成された空間内に配置されても空いている空間である。
【００９８】
またこのとき、第２の傾斜部材１３３Ｄの、傾斜面が形成された箇所とは反対側の箇所と、第２の底部材１３３Ｅとの間であって第２の案内枠体１３３が延びる方向に形成された空間は、第２の柱部１１３によって隔てられている。
【００９９】
また、一対の第２の軸支持部１１３Ｂを互いに連結している第２の回動軸体１１３Ａも、第２の案内枠体１３３に形成された空間内に配置されている。
【０１００】
また、保持体１１の支持部１１１及び保持部１１５は、第１の案内枠体１３２と第２の案内枠体１３３の間に配置されている。
従って、保持体１１の支持部１１１と、支持部１１１に支持された器体１０と、支持部１１１が配置された受部１３１を通る仮想の中心軸線は同じである。
【０１０１】
また、保持体１１の把持部１１４は第１の柱部１１２から突出しているので、把持部１１４が、第１の案内枠体１３２の延びる方向と同じ方向にスライドするときには、第１の柱部１１２も一緒に第１の案内枠体１３２の延びる方向と同じ方向にスライドする。
【０１０２】
また、第１の柱部１１２は、保持部１１５によって第２の柱部１１３と連結されており、また、第１の柱部１１２と第２の柱部１１３はどちらも支持部１１１から延びているので、第１の柱部１１２が第１の案内枠体１３２の延びる方向と同じ方向にスライドするときには、第２の柱部１１３は第２の案内枠体１３３の延びる方向と同じ方向にスライドし、また、支持部１１１と保持部１１５も一緒にスライドする。
【０１０３】
また、第１の柱部１１２の一端から突出した一対の第１の軸支持部１１２Ｂを互いに連結している第１の回動軸体１１２Ａも、当然ながら第１の柱部１１２がスライドするときに一緒に第１の案内枠体１３２の延びる方向と同じ方向にスライドする。
【０１０４】
また、第２の柱部１１３の一端から突出した一対の第２の軸支持部１１３Ｂを互いに連結している第２の回動軸体１１３Ａも、当然ながら第２の柱部１１３がスライドするときに一緒に第２の案内枠体１３３の延びる方向と同じ方向にスライドする。
【０１０５】
すなわち、把持部１１４がスライドすることは、保持体１１がスライドすることと同義である。
【０１０６】
また、把持部１１４は自重で第１の方向にスライド可能である。
すなわち、保持体１１は自重で第１の方向にスライド可能である。
【０１０７】
また、本発明の飲料用容器１は、第１のカバー部１４と、器体１０を挟んで第１のカバー体１４と対向して配置された第２のカバー部１５を備える。
また、第１のカバー部１４と第２のカバー部１５が一組となって、筒体１０の開口部１０Ｂを閉塞したり開放したりする。
【０１０８】
すなわち、案内部１３の第１の案内枠体１３２が延びる方向と同じ方向であると共に受部１３１に近づく方向である第１の方向に、把持部１１４がスライドして第１の案内枠体１３２に対して第１の位置に到達したときに、第１のカバー部１４と第２のカバー部１５が器体１０の開口部１０Ｂ全体を閉塞する。
【０１０９】
ここで、「第１の位置」とは、具体的には例えば、把持部１１４を構成する２つの横構成部材の中の、支持部１１１に近い方の横構成部材が、第１の底部材１３２Ｈに接続された第１の外側部材１３２Ａの縁部に近い方の第１の外側案内穴１３２Ｅの端部に接触する位置である。
【０１１０】
また、案内部１３の第１の案内枠体１３２が延びる方向と同じ方向であると共に受部１３１から離れる方向である第２の方向に、把持部１１４がスライドして第１の案内枠体１３２に対して第２の位置に到達したときに、第１のカバー部１４と第２のカバー部１５が器体１０の開口部１０Ｂ全体を開放する。
【０１１１】
ここで、「第２の位置」とは、具体的には例えば、第１の軸支持部１１２Ｂが、第１の底部材１３２Ｈに接続された第１の外側部材１３２Ａの縁部とは反対側の縁部に近い方の第１の外側案内穴１３２Ｅの端部に接触する位置である。
【０１１２】
すなわち、第１の位置と第２の位置は、把持部がスライドする方向において互いに正反対の位置である。
【０１１３】
また、第１のカバー部１４は、第１の回動体１４１を有する。
ここで、第１の回動体１４１は、器体１０が延びる方向に対して略直交する方向を中心に回動可能である。
すなわち、第１の回動体１４１は、第１の柱部１１２あるいは第２の柱部１１３が延びる方向に対して略直交する方向を中心に回動可能である。
【０１１４】
また、第１の回動体１４１は、第１の回動主体部１４１Ａを有する。
ここで、第１の回動主体部１４１Ａは、器体１０が延びる方向に対して略直交する方向と同じ方向に延びている。
また、第１の回動主体部１４１Ａの略中央領域は、器体１０とは反対側へ向けて湾曲している。
【０１１５】
また、第１の回動体１４１は、第１の一端突出部１４１Ｂを有する。
ここで、第１の一端突出部１４１Ｂは、第１の回動主体部１４１Ａの延びる方向の一端から、第１の回動主体部１４１Ａの延びる方向に対して略直交する方向へ突出している。
また、第１の一端突出部１４１Ｂの外形は、第１の一端突出部１４１Ｂの突出方向の基端から先端に向けて徐々に細くなるテーパ形状である。
【０１１６】
また、第１の回動体１４１は、第１の他端突出部１４１Ｃを有する。
ここで、第１の他端突出部１４１Ｃは、第１の回動主体部１４１Ａの延びる方向の一端とは反対側の他端から、第１の回動主体部１４１Ａの延びる方向に対して略直交する方向であると共に第１の一端突出部１４１Ｂの突出方向と同じ方向へ突出している。
また、第１の他端突出部１４１Ｃの外形は、第１の他端突出部１４１Ｃの突出方向の基端から先端に向けて徐々に細くなるテーパ形状である。
【０１１７】
また、第１の回動体１４１は、第１の一端環状部１４１Ｄを有する。
ここで、第１の一端環状部１４１Ｄは、第１の一端突出部１４１Ｂの突出方向の先端に取付けられており、かつ、貫通した貫通穴が形成されている。
また、第１の一端環状部１４１Ｄに形成された貫通穴の貫通方向は、第１の一端突出部１４１Ｂの突出方向に対して略直交する方向へ延びており、かつ、第１の回動主体部１４１Ａが延びる方向と同じ方向へ延びている。
【０１１８】
また、第１の回動体１４１は、第１の他端環状部１４１Ｅを有する。
ここで、第１の他端環状部１４１Ｅは、第１の他端突出部１４１Ｃの突出方向の先端に取付けられており、かつ、貫通した貫通穴が形成されている。
また、第１の他端環状部１４１Ｅに形成された貫通穴の貫通方向は、第１の他端突出部１４１Ｃの突出方向に対して略直交する方向へ延びており、かつ、第１の一端環状部１４１Ｄの貫通穴の貫通方向と同じ方向へ延びている。
【０１１９】
また、第１の回動体１４１の第１の一端環状部１４１Ｄに形成された貫通穴には、一対の第１の軸支持部１１２Ｂを互いに連結する第１の回動軸体１１２Ａが挿通されており、第１の一端環状部１４１Ｄは一対の第１の軸支持部１１２Ｂに挟まれている。
【０１２０】
また、第１の回動体１４１の第１の他端環状部１４１Ｅに形成された貫通穴には、一対の第２の軸支持部１１３Ｂを互いに連結する第２の回動軸体１１３Ａが挿通されており、第１の他端環状部１４１Ｅは一対の第２の軸支持部１１３Ｂに挟まれている。
【０１２１】
すなわち、第１の回動体１４１の第１の一端環状部１４１Ｄと第１の他端環状部１４１Ｅは、保持体１１に取付けられており、第１の回動体１４１は第１の回動軸体１１２Ａ及び第２の回動軸体１１３Ａを中心に回動する。
【０１２２】
また、例えば、第１の外側部材１３２Ａと第１の内側部材１３２Ｃとを互いに２つの円柱体によって連結する構成とし、一方、第１の回動体１４１の第１の一端突出部１４１Ｂ及び第２の回動体１５１の第２の一端突出部１５１Ｂそれぞれに、突出方向に延びると共に貫通した長穴が形成された構成とし、２つの円柱体をそれぞれ第１の一端突出部１４１Ｂの長穴と第２の一端突出部１５１Ｂの長穴それぞれに挿通する構成とすることもできる。
【０１２３】
この場合、第１の回動体１４１及び第２の回動体１５１の回動運動は円柱体によって規制され、第１の回動体１４１及び第２の回動体１５１の回動運動は安定し易くなる。
【０１２４】
また、同様に、例えば第２の外側部材１３３Ａと第２の内側部材１３３Ｃとを互いに２つの円柱体によって連結する構成とし、一方、第１の回動体１４１の第１の他端突出部１４１Ｃ及び第２の回動体１５１の第２の他端突出部１５１Ｃそれぞれに長穴が形成された構成とし、２つの円柱体をそれぞれ第１の他端突出部１４１Ｃの長穴と第２の他端突出部１５１Ｃの長穴それぞれに挿通する構成とすることもできる。
【０１２５】
また、第１のカバー部１４は、第１の回動体１４１に屈曲可能に取付けられた第１のスライド体を有しており、第１のスライド体は、第１の上スライド体１４２と第１の下スライド体１４３とで構成されている。
【０１２６】
ここで、第１の上スライド体１４２は、第１の接続部１４４を介して第１の回動体１４１に屈曲可能に取付けられている。
また、第１の上スライド体１４２は、器体１０とは反対側へ向けて湾曲している。
【０１２７】
また、第１の下スライド体１４３は、第１の接続部１４４を介して第１の上スライド体１４２に屈曲可能に取付けられている。
また、第１の下スライド体１４３は、第１の下スライド主体部１４３Ａを有する。
ここで、第１の下スライド主体部１４３Ａは、器体１０が延びる方向に対して略直交する方向に延びており、器体１０とは反対側へ向けて湾曲している。
【０１２８】
また、第１の下スライド体１４３は、第１の一端フランジ部１４３Ｂを有する。
ここで、第１の一端フランジ部１４３Ｂは、第１の下スライド主体部１４３Ａの延びる方向の一端領域から、第１の下スライド主体部１４３Ａの延びる方向と同じ方向に延びる領域である第１の一端外側張出領域１４３Ｂ１を有する。
【０１２９】
また、第１の一端フランジ部１４３Ｂは、第１の一端内側張出領域１４３Ｂ２を有する。
ここで、第１の一端内側張出領域１４３Ｂ２は、第１の一端外側張出領域１４３Ｂ１が位置する平面内であると共に器体１０が延びる方向に対して略直交する方向に延びる平面内に位置している。
また、第１の一端内側張出領域１４３Ｂ２は、第１の一端外側張出領域１４３Ｂ１が延び出る方向と同じ方向に延びており、かつ、第１の一端外側張出領域１４３Ｂ１から離れて延びる領域である。
【０１３０】
また、第１の一端フランジ部１４３Ｂは、第１の一端外側耳垂領域１４３Ｂ３を有する。
ここで、第１の一端外側耳垂領域１４３Ｂ３は、第１の一端外側張出領域１４３Ｂ１から第１の案内枠体１３２が延びる方向と同じ方向に延びている。
【０１３１】
また、第１の一端フランジ部１４３Ｂは、第１の一端内側耳垂領域１４３Ｂ４を有する。
ここで、第１の一端内側耳垂領域１４３Ｂ４は、第１の一端内側張出領域１４３Ｂ２から第１の一端外側耳垂領域１４３Ｂ３が延びる方向と同じ方向に延びている。
また、第１の一端内側耳垂領域１４３Ｂ４は、第１の一端外側耳垂領域１４３Ｂ３と対向しており、かつ、第１の一端外側耳垂領域１４３Ｂ３に向いた面とは反対側の面に第１の一端耳垂凹部１４５が形成されている。
【０１３２】
また、第１の下スライド体１４３は、第１の他端フランジ部１４３Ｃを有する。
ここで、第１の他端フランジ部１４３Ｃは、第１の下スライド主体部１４３Ａの延びる方向の一端領域とは反対側の他端領域から、第１の下スライド主体部１４３Ａの延びる方向と同じ方向に延びる領域である第１の他端外側張出領域１４３Ｃ１を有する。
【０１３３】
また、第１の他端フランジ部１４３Ｃは、図示していないが、第１の他端内側張出領域を有する。
ここで、第１の他端内側張出領域は、第１の他端外側張出領域１４３Ｃ１が位置する平面内であると共に器体１０が延びる方向に対して略直交する方向に延びる平面内に位置している。
また、第１の他端内側張出領域は、第１の他端外側張出領域１４３Ｃ１が延び出る方向と同じ方向に延びており、かつ、第１の他端外側張出領域１４３Ｃ１から離れて延びる領域である。
【０１３４】
また、第１の他端フランジ部１４３Ｃは、第１の他端外側耳垂領域１４３Ｃ３を有する。
ここで、第１の他端外側耳垂領域１４３Ｃ３は、第１の他端外側張出領域１４３Ｃ１から第２の案内枠体１３３が延びる方向と同じ方向に延びている。
【０１３５】
また、第１の他端フランジ部１４３Ｃは、図示していないが、第１の他端内側耳垂領域を有する。
ここで、第１の他端内側耳垂領域は、第１の他端内側張出領域から第１の他端外側耳垂領域１４３Ｃ３が延びる方向と同じ方向に延びている。
また、第１の他端内側耳垂領域は、第１の他端外側耳垂領域１４３Ｃ３と対向しており、かつ、第１の他端外側耳垂領域１４３Ｃ３に向いた面とは反対側の面に第１の他端耳垂凹部が形成されている。
【０１３６】
また、第２のカバー部１５は、第２の回動体１５１を有する。
ここで、第２の回動体１５１は、器体１０が延びる方向に対して略直交する方向を中心に回動可能である。
すなわち、第２の回動体１５１は、第１の柱部１１２あるいは第２の柱部１１３が延びる方向に対して略直交する方向を中心に回動可能である。
【０１３７】
また、第２の回動体１５１は、第２の回動主体部１５１Ａを有する。
ここで、第２の回動主体部１５１Ａは、器体１０が延びる方向に対して略直交する方向と同じ方向に延びている。
また、第２の回動主体部１５１Ａの略中央領域は、器体１０とは反対側へ向けて湾曲している。
【０１３８】
また、第２の回動体１５１は、第２の一端突出部１５１Ｂを有する。
ここで、第２の一端突出部１５１Ｂは、第２の回動主体部１５１Ａの延びる方向の一端から、第２の回動主体部１５１Ａの延びる方向に対して略直交する方向へ突出している。
また、第２の一端突出部１５１Ｂの外形は、第２の一端突出部１５１Ｂの突出方向の基端から先端に向けて徐々に細くなるテーパ形状である。
【０１３９】
また、第２の回動体１５１は、第２の他端突出部１５１Ｃを有する。
ここで、第２の他端突出部１５１Ｃは、第２の回動主体部１５１Ａの延びる方向の一端とは反対側の他端から、第２の回動主体部１５１Ａの延びる方向に対して略直交する方向であると共に第２の一端突出部１５１Ｂの突出方向と同じ方向へ突出している。
また、第２の他端突出部１５１Ｃの外形は、第２の他端突出部１５１Ｃの突出方向の基端から先端に向けて徐々に細くなるテーパ形状である。
【０１４０】
また、第２の回動体１５１は、第２の一端環状部１５１Ｄを有する。
ここで、第２の一端環状部１５１Ｄは、第２の一端突出部１５１Ｂの突出方向の先端に取付けられており、かつ、貫通した貫通穴が形成されている。
また、第２の一端環状部１５１Ｄに形成された貫通穴の貫通方向は、第２の一端突出部１５１Ｂの突出方向に対して略直交する方向へ延びており、かつ、第２の回動主体部１５１Ａが延びる方向と同じ方向へ延びている。
【０１４１】
また、第２の回動体１５１は、第２の他端環状部１５１Ｅを有する。
ここで、第２の他端環状部１５１Ｅは、第２の他端突出部１５１Ｃの突出方向の先端に取付けられており、かつ、貫通した貫通穴が形成されている。
また、第２の他端環状部１５１Ｅに形成された貫通穴の貫通方向は、第２の他端突出部１５１Ｃの突出方向に対して略直交する方向へ延びており、かつ、第２の一端環状部１５１Ｄの貫通穴の貫通方向と同じ方向へ延びている。
【０１４２】
また、第２の回動体１５１の第２の一端環状部１５１Ｄに形成された貫通穴には、一対の第１の軸支持部１１２Ｂを互いに連結する第１の回動軸体１１２Ａが挿通されており、第２の一端環状部１５１Ｄは一対の第１の軸支持部１１２Ｂに挟まれている。
【０１４３】
また、第２の回動体１５１の第２の他端環状部１５１Ｅに形成された貫通穴には、一対の第２の軸支持部１１３Ｂを互いに連結する第２の回動軸体１１３Ａが挿通されており、第２の他端環状部１５１Ｅは一対の第２の軸支持部１１３Ｂに挟まれている。
【０１４４】
すなわち、第２の回動体１５１の第２の一端環状部１５１Ｄと第２の他端環状部１５１Ｅは、保持体１１に取付けられており、第２の回動体１５１は第１の回動軸体１１２Ａ及び第２の回動軸体１１３Ａを中心に回動する。
【０１４５】
また、第２のカバー部１５は、第２の回動体１５１に屈曲可能に取付けられた第２のスライド体を有しており、第２のスライド体は、第２の上スライド体１５２及び第２の下スライド体１５３とで構成されている。
【０１４６】
ここで、第２の上スライド体１５２は、第２の接続部１５４を介して第２の回動体１５１に屈曲可能に取付けられている。
また、第２の上スライド体１５２は、器体１０とは反対側へ向けて湾曲している。
【０１４７】
また、第２の下スライド体１５３は、第２の接続部１５４を介して第２の上スライド体１５２に屈曲可能に取付けられている。
また、第２の下スライド体１５３は、第２の下スライド主体部１５３Ａを有する。
ここで、第２の下スライド主体部１５３Ａは、器体１０が延びる方向に対して略直交する方向に延びており、器体１０とは反対側へ向けて湾曲している。
【０１４８】
また、第２の下スライド体１５３は、第２の一端フランジ部１５３Ｂを有する。
ここで、第２の一端フランジ部１５３Ｂは、第２の下スライド主体部１５３Ａの延びる方向の一端領域から、第２の下スライド主体部１５３Ａの延びる方向と同じ方向に延びる領域である第２の一端外側張出領域１５３Ｂ１を有する。
【０１４９】
また、第２の一端フランジ部１５３Ｂは、第２の一端内側張出領域１５３Ｂ２を有する。
ここで、第２の一端内側張出領域１５３Ｂ２は、第２の一端外側張出領域１５３Ｂ１が位置する平面内であると共に器体１０が延びる方向に対して略直交する方向に延びる平面内に位置している。
また、第２の一端内側張出領域１５３Ｂ２は、第２の一端外側張出領域１５３Ｂ１が延び出る方向と同じ方向に延びており、かつ、第２の一端外側張出領域１５３Ｂ１から離れて延びる領域である。
【０１５０】
また、第２の一端フランジ部１５３Ｂは、第２の一端外側耳垂領域１５３Ｂ３を有する。
ここで、第２の一端外側耳垂領域１５３Ｂ３は、第２の一端外側張出領域１５３Ｂ１から第１の案内枠体１３２が延びる方向と同じ方向に延びている。
【０１５１】
また、第２の一端フランジ部１５３Ｂは、第２の一端内側耳垂領域１５３Ｂ４を有する。
ここで、第２の一端内側耳垂領域１５３Ｂ４は、第２の一端内側張出領域１５３Ｂ２から第２の一端外側耳垂領域１５３Ｂ３が延びる方向と同じ方向に延びている。
また、第２の一端内側耳垂領域１５３Ｂ４は、第２の一端外側耳垂領域１５３Ｂ３と対向しており、かつ、第２の一端外側耳垂領域１５３Ｂ３に向いた面とは反対側の面に第２の一端耳垂凹部１５５が形成されている。
【０１５２】
また、第２の下スライド体１５３は、図示していないが、第１の他端フランジ部１４３Ｃと同様の第２の他端フランジ部を有する。
すなわち、第２の他端フランジ部は、図示していないが、第２の下スライド主体部１５３Ａの延びる方向の一端領域とは反対側の他端領域から、第２の下スライド主体部１５３Ａの延びる方向と同じ方向に延びる領域である第２の他端外側張出領域を有する。
【０１５３】
また、第２の他端フランジ部は、図示していないが、第２の他端内側張出領域を有する。
ここで、第２の他端内側張出領域は、第２の他端外側張出領域が位置する平面内であると共に器体１０が延びる方向に対して略直交する方向に延びる平面内に位置している。
また、第２の他端内側張出領域は、第２の他端外側張出領域が延び出る方向と同じ方向に延びており、かつ、第２の他端外側張出領域から離れて延びる領域である。
【０１５４】
また、第２の他端フランジ部は、図示していないが、第２の他端外側耳垂領域を有する。
ここで、第２の他端外側耳垂領域は、第２の他端外側張出領域から第２の案内枠体１３３が延びる方向と同じ方向に延びている。
【０１５５】
また、第２の他端フランジ部は、図示していないが、第２の他端内側耳垂領域を有する。
ここで、第２の他端内側耳垂領域は、第２の他端内側張出領域から第２の他端外側耳垂領域が延びる方向と同じ方向に延びている。
また、第２の他端内側耳垂領域は、第２の他端外側耳垂領域と対向しており、かつ、第２の他端外側耳垂領域に向いた面とは反対側の面に第２の他端耳垂凹部が形成されている。
【０１５６】
また、第１の柱部１１２によって隔てられており、第１の傾斜部材１３２Ｄの、傾斜面が形成された箇所とは反対側の箇所と、第１の底部材１３２Ｈとの間であって第１の案内枠体１３２が延びる方向に形成された一方の空間に、第１の下スライド体１４３の第１の一端フランジ部１４３Ｂが、第１の案内枠体１３２が延びる方向と同じ方向にスライド可能に配置されている。
【０１５７】
すなわち、第１の下スライド体１４３の第１の一端フランジ部１４３Ｂがスライド可能に配置された一方の空間が、第１の左側スライド経路１３２Ｆである。
【０１５８】
また、第１の柱部１１２によって隔てられており、第１の傾斜部材１３２Ｄの、傾斜面が形成された箇所とは反対側の箇所と、第１の底部材１３２Ｈとの間であって第１の案内枠体１３２が延びる方向に形成された他方の空間に、第２の下スライド体１５３の第２の一端フランジ部１５３Ｂが、第１の案内枠体１３２が延びる方向と同じ方向にスライド可能に配置されている。
【０１５９】
すなわち、第２の下スライド体１５３の第２の一端フランジ部１５３Ｂがスライド可能に配置された他方の空間が、第２の左側スライド経路１３２Ｇである。
【０１６０】
また、第２の柱部１１３によって隔てられており、第２の傾斜部材１３３Ｄの、傾斜面が形成された箇所とは反対側の箇所と、第２の底部材１３３Ｅとの間であって第２の案内枠体１３３が延びる方向に形成された一方の空間に、第１の下スライド体１４３の第１の他端フランジ部１４３Ｃが、第２の案内枠体１３３が延びる方向と同じ方向にスライド可能に配置されている。
【０１６１】
すなわち、第１の下スライド体１４３の第１の他端フランジ部１４３Ｃがスライド可能に配置された一方の空間が、第１の右側スライド経路１３３Ｆである。
【０１６２】
また、図示していないが、第２の柱部１１３によって隔てられており、第２の傾斜部材１３３Ｄの、傾斜面が形成された箇所とは反対側の箇所と、第２の底部材１３３Ｅとの間であって第２の案内枠体１３３が延びる方向に形成された他方の空間に、第２の下スライド体１５３の第２の他端フランジ部が、第２の案内枠体１３３が延びる方向と同じ方向にスライド可能に配置されている。
【０１６３】
すなわち、第２の下スライド体１５３の第２の他端フランジ部がスライド可能に配置された他方の空間が、第２の右側スライド経路である。
【０１６４】
また、第１のカバー部１４及び第２のカバー部１５は、例えば透明なアクリル樹脂で形成されることができる。
この場合、少なくとも第１の回動体１４１と第２の回動体１５１が透明なアクリル樹脂で形成されていれば、器体１０の開口部１０Ｂが第１のカバー部１４及び第２のカバー部１５で閉塞されていても、器体１０の内部に収容された液体などの収容物を視認できる。
【０１６５】
また、本発明の飲料用容器１は、第１の錘部１６を備える。
ここで、第１の錘部１６は、第１の本体１６１を有する。
また、第１の本体１６１には、第１の本体１６１の一方の面と、この一方の面とは反対側の他方の面との間を貫通した貫通穴が形成されている。
【０１６６】
また、第１の本体１６１は、第１の案内枠体１３２が延びる方向に対して略直交する方向を中心に回動可能に受部１３１の横に配置されている。
ここで、「受部１３１の横」とは、第１の案内枠体１３２が延びる方向に対して略直交する方向へ拡がる平面内であって、受部１３１と同じ平面内の位置を意味する。
【０１６７】
すなわち、第１の軸体１６１Ａが、第１の本体１６１に形成された貫通穴に挿通されており、第１の軸体１６１Ａを中心に第１の本体１６１は回動する。
ここで、第１の軸体１６１Ａは、第１の案内枠体１３２が延びる方向に対して略直交する方向へ受部１３１の表面から突出しており、第１の案内枠体１３２の第１の内側部材１３２Ｃに形成された第１の内側案内穴を通って第１の案内枠体１３２の空間内に配置されている。
【０１６８】
また、第１の錘部１６は、第１の左突出体１６２を有する。
ここで、第１の左突出体１６２は、第１の本体１６１の回動面と同一平面内にて第１の本体１６１から突出している。
【０１６９】
また、第１の錘部１６は、第２の左突出体１６３を有する。
ここで、第２の左突出体１６３は、第１の本体１６１の回動面と同一平面内にて第１の左突出体１６２の突出方向とは反対方向へ第１の本体１６１から突出しており、かつ、第１の左突出体１６２の質量よりも大きい質量を有する。
【０１７０】
また、第１の錘部１６は、第１の外側案内穴１３２Ｅと重ならない位置に配置されている。
すなわち、第１の錘部１６は、第１の外側案内穴１３２が形成されていない第１の外側部材１３２Ａの箇所であると共に、第１の外側案内穴１３２が延びる方向の延長線上の箇所に対応して配置されている。
【０１７１】
また、第１の錘部１６は、第１の左側スライド経路１３２Ｆと第２の左側スライド経路１３２Ｇとの間に配置されている。
【０１７２】
従って、把持部１１４がスライドして第１の案内枠体１３２に対して第１の位置に到達したときでも、第１の柱部１１２は第１の錘部１６に接触しない。
【０１７３】
また、本発明の飲料用容器１は、第２の錘部１７を備える。
ここで、第２の錘部１７は、第２の本体１７１を有する。
また、第２の本体１７１には、第２の本体１７１の一方の面と、この一方の面とは反対側の他方の面との間を貫通した貫通穴が形成されている。
【０１７４】
また、第２の本体１７１は、第２の案内枠体１３３が延びる方向に対して略直交する方向を中心に回動可能に受部１３１の横に配置されている。
すなわち、第２の軸体１７１Ａが、第２の本体１７１に形成された貫通穴に挿通されており、第２の軸体１７１Ａを中心に第２の本体１７１は回動する。
【０１７５】
ここで、第２の軸体１７１Ａは、第２の案内枠体１３３が延びる方向に対して略直交する方向へ受部１３１の表面から突出しており、第２の案内枠体１３３の第２の内側部材１３３Ｃに形成された第２の内側案内穴を通って第２の案内枠体１３３の空間内に配置されている。
【０１７６】
また、第２の錘部１７は、第１の右突出体１７２を有する。
ここで、第１の右突出体１７２は、第２の本体１７１の回動面と同一平面内にて第２の本体１７１から突出している。
【０１７７】
また、第２の錘部１７は、第２の右突出体１７３を有する。
ここで、第２の右突出体１７３は、第２の本体１７１の回動面と同一平面内にて第１の右突出体１７２の突出方向とは反対方向へ第２の本体１７１から突出しており、かつ、第１の右突出体１７２の質量よりも大きい質量を有する。
【０１７８】
また、第２の錘部１７は、第２の外側案内穴と重ならない位置に配置されている。
すなわち、第２の錘部１７は、第２の外側案内穴が形成されていない第２の外側部材１３３Ａの箇所であると共に、第２の外側案内穴が延びる方向の延長線上の箇所に対応して配置されている。
【０１７９】
また、第２の錘部１７は、第１の右側スライド経路１３３Ｆと、図示していない第２の右側スライド経路との間に配置されている。
【０１８０】
従って、把持部１１４がスライドして第１の案内枠体１３２に対して第１の位置に到達したときでも、第２の柱部１１３は第２の錘部１７に接触しない。
【０１８１】
また、第１の錘部１６と、第１のカバー部１４が開口部１０Ｂを開放しているときの第１のカバー部１４の第１の下スライド体１４３との間の距離、並びに第１の錘部１６と、第２のカバー部１５が開口部１０Ｂを開放しているときの第２のカバー部１５の第２の下スライド体１５３との間の距離は、第１の錘部１６の第１の本体１６１が回動したときに第１の左突出体１６２と第２の左突出体１６３が、第１の下スライド体１４３と第２の下スライド体１５３に当接して第１の下スライド体１４３と第２の下スライド体１５３のスライドを抑制可能な距離である。
【０１８２】
すなわち、第１の錘部１６の第１の本体１６１が回動したときに、第１の下スライド体１４３の第１の一端内側耳垂領域１４３Ｂ４に形成された第１の一端耳垂凹部１４５に、第１の左突出体１６２または第２の左突出体１６３が当接し、第２の下スライド体１５３の第２の一端内側耳垂領域１５３Ｂ４に形成された第２の一端耳垂凹部１５５に、第１の左突出体１６２または第２の左突出体１６３が当接して第１の下スライド体１４３と第２の下スライド体１５３のスライドを抑制し、開口部１０Ｂが開放した状態を維持する。
【０１８３】
また、第２の錘部１７と、第１のカバー部１４が開口部１０Ｂを開放しているときの第１のカバー部１４の第１の下スライド体１４３との間の距離、並びに第２の錘部１７と、第２のカバー部１５が開口部１０Ｂを開放しているときの第２のカバー部１５の第２の下スライド体１５３との間の距離は、第２の錘部１７の第２の本体１７１が回動したときに第１の右突出体１７２と第２の右突出体１７３が、第１の下スライド体１４３と第２の下スライド体１５３に当接して第１の下スライド体１４３と第２の下スライド体１５３のスライドを抑制可能な距離である。
【０１８４】
すなわち、第２の錘部１７の第２の本体１７１が回動したときに、第１の下スライド体１４３の第１の他端内側耳垂領域に形成された第１の他端耳垂凹部に、第１の右突出体１７２または第２の右突出体１７３が当接し、第２の下スライド体１５３の第２の他端内側耳垂領域に形成された第２の他端耳垂凹部に、第１の右突出体１７２または第２の右突出体１７３が当接して第１の下スライド体１４３と第２の下スライド体１５３のスライドを抑制し、開口部１０Ｂが開放した状態を維持する。
【０１８５】
本発明の飲料用容器すなわち容器は、把持部が、器体の延びる方向に対して略直交する方向に拡がる平面内であって器体と同じ平面内に位置しており、かつ、鉛直方向下向き及び鉛直方向上向きに移動可能であり、また、鉛直方向下向きに把持部が移動して第１の位置に到達したときに、カバー部が器体の開口部を閉塞可能であり、かつ、鉛直方向上向きに把持部が移動して、把持部が移動する方向において第１の位置とは反対側の位置である第２の位置に到達したときに、カバー部が開口部を開放可能であれば、必ずしも保持体及び案内部を備えていなくてもよい。
【０１８６】
具体的には例えば、本発明の容器において、器体と把持部が一体となっており、また、器体と把持部が自重で鉛直方向下向きに移動することで、カバー部に設けられた被押圧部を把持部あるいは器体の一部が押圧するか、または、押圧していた状態を解除して、カバー部が開口部を閉塞し、器体と把持部が鉛直方向上向きに移動することで、カバー部に設けられた被押圧部を把持部あるいは器体の一部が押圧するか、または、押圧していた状態を解除して、カバー部が開口部を開放する。
【０１８７】
また、具体的には例えば、器体と把持部は一体となっておらず、把持部が自重で鉛直方向下向きに移動しても器体は移動しないようにすることもでき、この場合、把持部のみが自重で鉛直方向下向きに移動することで、カバー部に設けられた被押圧部を把持部が押圧するか、または、押圧していた状態を解除して、カバー部が開口部を閉塞し、把持部のみが鉛直方向上向きに移動することで、カバー部に設けられた被押圧部を把持部が押圧するか、または、押圧していた状態を解除して、カバー部が開口部を開放することもできる。
【０１８８】
また、本発明の容器において、必ずしもカバー部は第１のカバー部と第２のカバー部とで構成されていなくてもよく、１つのカバー部とすることもできる。
しかし、カバー部が第１のカバー部と第２のカバー部とで構成されていれば、カバー部が一方に偏ることなく配置できるので好ましい。
【０１８９】
また、本発明の容器は、必ずしも第１の錘部及び第２の錘部、すなわち錘部を備えていなくてもよい。
しかし、本発明の容器が錘部を備えていれば、開口部が開放した状態を維持し易いので好ましい。
【０１９０】
また、本発明の容器において、必ずしも把持部は自重で第１の方向にスライド可能でなくてもよい。すなわち、必ずしも保持体は自重で第１の方向にスライド可能でなくてもよい。
しかし、把持部が自重で第１の方向にスライド可能であれば、本発明の容器から手を離して本発明の容器を置いているときには、把持部が自重で第１の方向すなわち鉛直方向下向きにスライドして第１の位置に到達するので、本発明の容器を放置していてもカバー部が開口部を閉塞して本体の内部に塵など余計な物が入り込むことを抑制できるので好ましい。
【０１９１】
また、本発明の容器において、必ずしも保持体の支持部は、器体を着脱可能に支持可能でなくてもよい。
しかし、保持体の支持部が、器体を着脱可能に支持可能であれば、保持体から器体を分離でき、器体と、保持体と、案内部と、カバー部それぞれの細部まで洗浄することができるので好ましい。
【０１９２】
次に、本発明の飲料用容器が備える器体の開口部を開放及び閉塞するときの動作を説明する。
図１に示すように、本発明の飲料用容器１が備える保持体１１の第１の柱部１１２から突出した把持部１１４を手２で持ち、本発明の飲料用容器１を持ち上げる。
【０１９３】
すると、把持部１１４は自重で第１の方向にスライド可能であるから、第１の案内枠体１３２が把持部１１４に対して自重で鉛直方向下向きにスライドする、すなわち、把持部１１４が相対的に第２の方向すなわち鉛直方向上向きにスライドして第２の位置に到達する。
【０１９４】
このとき、第１の柱部１１２が、第１の底部材１３２Ｈに接続された第１の外側部材１３２Ａの縁部とは反対側の縁部、並びに第１の底部材１３２Ｈに接続された第１の内側部材１３２Ｃの縁部とは反対側の縁部へ近づく方向にスライドし、併せて第２の柱部１１３も、第２の底部材１３３Ｅに接続された第２の外側部材１３３Ａの縁部とは反対側の縁部、並びに第２の底部材１３３Ｅに接続された第２の内側部材１３３Ｃの縁部とは反対側の縁部へ近づく方向にスライドしている。
【０１９５】
また、このとき、第１の柱部１１２の一端から突出した一対の第１の軸支持部１１２Ｂを互いに連結している第１の回動軸体１１２Ａも、第１の柱部１１２と一緒にスライドしており、また、第２の柱部１１３の一端から突出した一対の第２の軸支持部１１３Ｂを互いに連結している第２の回動軸体１１３Ａも、第２の柱部１１３と一緒にスライドしている。
【０１９６】
また、把持部１１４が第２の位置に到達したとき、第１の回動軸体１１２Ａは第１の傾斜部材１３２Ｄよりも、第１の底部材１３２Ｈに接続された第１の外側部材１３２Ａの縁部とは反対側の縁部、並びに第１の底部材１３２Ｈに接続された第１の内側部材１３２Ｃの縁部とは反対側の縁部に近い位置に到達している。
【０１９７】
また、把持部１１４が第２の位置に到達したとき、第２の回動軸体１１３Ａも第２の傾斜部材１３３Ｄよりも、第２の底部材１３３Ｅに接続された第２の外側部材１３３Ａの縁部とは反対側の縁部、並びに第２の底部材１３３Ｅに接続された第２の内側部材１３３Ｃの縁部とは反対側の縁部に近い位置に到達している。
【０１９８】
従って、第１の回動体１４１の自重により、第１の回動体１４１の第１の一端環状部１４１Ｄが第１の回動軸体１１２Ａを中心に回動して、第１の一端環状部１４１Ｄに取付けられた第１の一端突出部１４１Ｂが第１の傾斜部材１３２Ｄに当接する。
【０１９９】
このとき、第１の傾斜部材１３２Ｄの頂部から第１の側壁部材１３２Ｂへ向けて徐々に、第１の側壁部材１３２Ｂが延びる方向と同じ方向における第１の傾斜部材１３２Ｄの長さが短くなった傾斜面に、外形がテーパ形状である第１の一端突出部１４１Ｂの外縁の一方が当接し、第１の回動体１４１は開口部１０Ｂを開放する方向へ回動する。
【０２００】
また同じく、第１の回動体１４１の自重により、第１の回動体１４１の第１の他端環状部１４１Ｅが第２の回動軸体１１３Ａを中心に回動して、第１の他端環状部１４１Ｅに取付けられた第１の他端突出部１４１Ｃが第２の傾斜部材１３３Ｄに当接する。
【０２０１】
このとき同じく、第２の傾斜部材１３３Ｄの頂部から第２の側壁部材１３３Ｂへ向けて徐々に、第２の側壁部材１３３Ｂが延びる方向と同じ方向における第２の傾斜部材１３３Ｄの長さが短くなった傾斜面に、外形がテーパ形状である第１の他端突出部１４１Ｃの外縁の一方が当接し、第１の回動体１４１は開口部１０Ｂを開放する方向へ回動する。
【０２０２】
また、第２の回動体１５１も第１の回動体１４１と同様の動作により、開口部１０Ｂを開放する方向へ回動するので、第２の回動体１５１の動作についての詳しい説明を省略する。
【０２０３】
また、図示していないが、第１の回動体１４１の第１の一端突出部１４１Ｂ及び第２の回動体１５１の第２の一端突出部１５１Ｂそれぞれに形成された長穴は、第１の傾斜部材１３２Ｄの傾斜面に当接する、第１の一端突出部１４１Ｂの一方の外縁及び第２の一端突出部１５１Ｂの一方の外縁に対して略平行に延びている。
【０２０４】
また、図示していないが、第１の回動体１４１の第１の他端突出部１４１Ｃ及び第２の回動体１５１の第２の他端突出部１５１Ｃそれぞれに形成された長穴は、第２の傾斜部材１３３Ｄの傾斜面に当接する、第１の他端突出部１４１Ｃの一方の外縁及び第２の他端突出部１５１Ｃの一方の外縁に対して略平行に延びている。
【０２０５】
また、第１の回動体１４１及び第２の回動体１５１が開口部１０Ｂを開放する方向へ回動したとき、第１の回動体１４１及び第２の回動体１５１はそれぞれ、器体１０が延びる方向に対して略直交する方向に拡がる平面内であって器体１０と同じ平面内に位置する、すなわち器体１０の外周面に沿って位置する。
【０２０６】
また、このとき、第１の回動体１４１及び第２の回動体１５１の位置は、第１の回動体１４１及び第２の回動体１５１が開口部１０Ｂを閉塞するときの位置よりも、案内部１３の受部１３１に近い。
【０２０７】
従って、第１の回動体１４１及び第２の回動体１５１それぞれに取付けられた、第１のスライド体すなわち第１の上スライド体１４２と第１の下スライド体１４３、並びに第２のスライド体すなわち第２の上スライド体１５２及び第２の下スライド体１５３も、案内部１３の受部１３１に近づく。
【０２０８】
また、第１の回動体１４１及び第２の回動体１５１が開口部１０Ｂを開放する方向へ回動するとき、第１の下スライド体１４３の第１の一端フランジ部１４３Ｂが、第１の案内枠体１３２の第１の左側スライド経路１３２Ｆを受部１３１に近づく方向にスライドし、第２の下スライド体１５３の第２の一端フランジ部１５３Ｂが、第１の案内枠体１３２の第２の左側スライド経路１３２Ｇを受部１３１に近づく方向にスライドする。
【０２０９】
また、第１の回動体１４１及び第２の回動体１５１が開口部１０Ｂを開放する方向へ回動するとき、第１の下スライド体１４３の第１の他端フランジ部１４３Ｃが、第２の案内枠体１３３の第１の右側スライド経路１３３Ｆを受部１３１に近づく方向にスライドし、第２の下スライド体１５３の第２の他端フランジ部が、第２の案内枠体１３３の第２の右側スライド経路を受部１３１に近づく方向にスライドする。
【０２１０】
すなわち、把持部１１４が第２の位置へ向けてスライドするとき、第１のカバー部１４及び第２のカバー部１５は、把持部１１４に対して鉛直方向下向きにスライドする。換言すれば把持部１１４は第１のカバー部１４及び第２のカバー部１５に対して相対的に鉛直方向上向きにスライドする。
【０２１１】
また、本発明の飲料用容器１を持ち上げたまま、図７に示すように例えば第１の指保護部１２Ａと同一平面を回動面として、本発明の飲料用容器１を回動させ、第１の案内枠体１３２の延びる方向と鉛直方向との間の角度が約４５°になるまで本発明の飲料用容器１を傾ける。
【０２１２】
すると、第１の錘部１６の第１の本体１６１が回動し、第１の下スライド体１４３の第１の一端内側耳垂領域１４３Ｂ４に形成された第１の一端耳垂凹部１４５に、第１の左突出体１６２が当接し、第２の下スライド体１５３の第２の一端内側耳垂領域１５３Ｂ４に形成された第２の一端耳垂凹部１５５に、第２の左突出体１６３が当接して第１の下スライド体１４３と第２の下スライド体１５３のスライドを抑制し、開口部１０Ｂが開放した状態を維持する。
【０２１３】
また、このとき、図示していないが、第２の錘部１７の第２の本体１７１も回動し、第１の下スライド体１４３の第１の他端内側耳垂領域に形成された第１の他端耳垂凹部に、第１の右突出体１７２が当接し、第２の下スライド体１５３の第２の他端内側耳垂領域に形成された第２の他端耳垂凹部に、第２の右突出体１７３が当接して第１の下スライド体１４３と第２の下スライド体１５３のスライドを抑制し、開口部１０Ｂが開放した状態を維持する。
【０２１４】
また、当然ながら、第１の指保護部１２Ａと同一平面を回動面として、図７に示した本発明の飲料用容器１の回動方向とは反対の回動方向へ、同じく第１の案内枠体１３２の延びる方向と鉛直方向との間の角度が約４５°になるまで本発明の飲料用容器１を回動させて傾けた場合であっても、第１の錘部１６と第２の錘部１７がそれぞれ回動し、第１の下スライド体１４３と第２の下スライド体１５３のスライドを抑制する。
【０２１５】
この場合、第１の錘部１６の第１の本体１６１が回動して、第１の一端耳垂凹部１４５に第２の左突出体１６３が当接し、第２の一端耳垂凹部１５５に第１の左突出体１６２が当接する。
また、この場合、第２の錘部１７の第２の本体１７１も回動して、第１の他端耳垂凹部に第２の右突出体１７３が当接し、第２の他端耳垂凹部に第１の右突出体１７２が当接する。
【０２１６】
第１の指保護部１２Ａと同一平面を回動面として、本発明の飲料用容器１の回動方向における、本発明の飲料用容器１の第１の案内枠体１３２が延びる方向と鉛直方向との間の角度、すなわち本発明の飲料用容器１の回動角度が約４５°以上約３１５°以下のときには、第１の錘部１６と第２の錘部１７は第１の下スライド体１４３と第２の下スライド体１５３に当接してスライドを抑制する。
【０２１７】
また、本発明の飲料用容器１が第１の錘部１６と第２の錘部１７を備えていない場合でも、本発明の飲料用容器１を持ち上げ、そして本発明の飲料用容器１を図７に示すように傾けて器体１０の内部に収容された飲料水などを飲むときには、使用者の鼻など顔の一部が第１のカバー部１４または第２のカバー部１５に当たり、開口部１０Ｂが閉塞されることはない。
【０２１８】
一方、図５に示すように、本発明の飲料用容器１をテーブルの天板３に置いて、本発明の飲料用容器１が備える保持体１１の第１の柱部１１２から突出した把持部１１４から手を離す。
【０２１９】
すると、把持部１１４は自重で第１の方向にスライド可能であるから、第１の柱部１１２が、第１の底部材１３２Ｈに接続された第１の外側部材１３２Ａの縁部、並びに第１の底部材１３２Ｈに接続された第１の内側部材１３２Ｃの縁部へ近づく方向にスライドし、併せて第２の柱部１１３も、第２の底部材１３３Ｅに接続された第２の外側部材１３３Ａの縁部並びに第２の底部材１３３Ｅに接続された第２の内側部材１３３Ｃの縁部へ近づく方向にスライドする。
【０２２０】
また、把持部１１４が第１の位置に到達したとき、第１の回動軸体１１２Ａは第１の傾斜部材１３２Ｄよりも、第１の底部材１３２Ｈに接続された第１の外側部材１３２Ａの縁部、並びに第１の底部材１３２Ｈに接続された第１の内側部材１３２Ｃの縁部に近い位置に到達している。
【０２２１】
また、把持部１１４が第１の位置に到達したとき、第２の回動軸体１１３Ａも第２の傾斜部材１３３Ｄよりも、第２の底部材１３３Ｅに接続された第２の外側部材１３３Ａの縁部、並びに第２の底部材１３３Ｅに接続された第２の内側部材１３３Ｃの縁部に近い位置に到達している。
【０２２２】
従って、第１の回動体１４１の第１の一端環状部１４１Ｄが第１の回動軸体１１２Ａを中心に、把持部１１４が第２の位置に到達したときの回動方向とは反対方向へ回動して、第１の一端環状部１４１Ｄに取付けられた第１の一端突出部１４１Ｂが第１の傾斜部材１３２Ｄに当接する。
【０２２３】
このとき、第１の傾斜部材１３２Ｄの頂部から第１の側壁部材１３２Ｂとは反対側へ向けて徐々に、第１の側壁部材１３２Ｂが延びる方向と同じ方向における第１の傾斜部材１３２Ｄの長さが短くなった傾斜面に、外形がテーパ形状である第１の一端突出部１４１Ｂの外縁が当接し、第１の回動体１４１は開口部１０Ｂを閉塞する方向へ回動する。
【０２２４】
また同じく、第１の回動体１４１の第１の他端環状部１４１Ｅが第２の回動軸体１１３Ａを中心に、把持部１１４が第２の位置に到達したときの回動方向とは反対方向へ回動して、第１の他端環状部１４１Ｅに取付けられた第１の他端突出部１４１Ｃが第２の傾斜部材１３３Ｄに当接する。
【０２２５】
このとき同じく、第２の傾斜部材１３３Ｄの頂部から第２の側壁部材１３３Ｂとは反対側へ向けて徐々に、第２の側壁部材１３３Ｂが延びる方向と同じ方向における第２の傾斜部材１３３Ｄの長さが短くなった傾斜面に、外形がテーパ形状である第１の他端突出部１４１Ｃの外縁が当接し、第１の回動体１４１は開口部１０Ｂを閉塞する方向へ回動する。
【０２２６】
また、第２の回動体１５１も第１の回動体１４１と同様の動作により、開口部１０Ｂを閉塞する方向へ回動するので、第２の回動体１５１の動作についての詳しい説明を省略する。
【０２２７】
また、第１の回動体１４１及び第２の回動体１５１が開口部１０Ｂを閉塞する方向へ回動したとき、第１の回動体１４１及び第２の回動体１５１はそれぞれ、器体１０が延びる方向の延長線上に位置する。
【０２２８】
また、このとき、第１の回動体１４１及び第２の回動体１５１の位置は、第１の回動体１４１及び第２の回動体１５１が開口部１０Ｂを開放するときの位置よりも、案内部１３の受部１３１から遠い。
【０２２９】
従って、第１の回動体１４１及び第２の回動体１５１それぞれに取付けられた、第１のスライド体すなわち第１の上スライド体１４２と第１の下スライド体１４３、並びに第２のスライド体すなわち第２の上スライド体１５２及び第２の下スライド体１５３も、案内部１３の受部１３１から遠ざかる。
【０２３０】
また、第１の回動体１４１及び第２の回動体１５１が開口部１０Ｂを閉塞する方向へ回動するとき、第１の下スライド体１４３の第１の一端フランジ部１４３Ｂが、第１の案内枠体１３２の第１の左側スライド経路１３２Ｆを受部１３１から遠ざかる方向にスライドし、第２の下スライド体１５３の第２の一端フランジ部１５３Ｂが、第１の案内枠体１３２の第２の左側スライド経路１３２Ｇを受部１３１から遠ざかる方向にスライドする。
【０２３１】
また、第１の回動体１４１及び第２の回動体１５１が開口部１０Ｂを閉塞する方向へ回動するとき、第１の下スライド体１４３の第１の他端フランジ部１４３Ｃが、第２の案内枠体１３３の第１の右側スライド経路１３３Ｆを受部１３１から遠ざかる方向にスライドし、第２の下スライド体１５３の第２の他端フランジ部が、第２の案内枠体１３３の第２の右側スライド経路を受部１３１から遠ざかる方向にスライドする。
【０２３２】
すなわち、把持部１１４が第１の位置へ向けてスライドするとき、第１のカバー部１４及び第２のカバー部１５は、把持部１１４に対して鉛直方向上向きにスライドする。換言すれば把持部１１４は第１のカバー部１４及び第２のカバー部１５に対して相対的に鉛直方向下向きにスライドする。
【０２３３】
以上のように、本発明の容器は、把持部を鉛直方向下向き及び鉛直方向上向きにスライドさせる、すなわち案内枠体に沿って器体を鉛直方向下向き及び鉛直方向上向きにスライドさせることで、開口部をカバー部で閉じたり開いたりすることができる。
【０２３４】
よって、把持部を手で持って本発明の容器を持ち上げたり、テーブルの天板などに本発明の容器を置いて把持部から手を離すといった、容器を手に持って使用する際の通常の動作を行うだけで、開口部を閉じたり開いたりできるので、本発明の容器は、容易に開口部の開閉を行うことができる。
【０２３５】
本発明の容器を使用しないときに、テーブルなどに本発明の容器を置いている場合には、器体の開口部をカバー部が閉塞しているので、虫などが器体の内部に侵入し難い。
従って、本発明の容器は、特に野外活動における使用に適している。
【符号の説明】
【０２３６】
１        飲料用容器
２        手
３        天板
１０        器体
１０Ａ      底部
１０Ｂ      開口部
１１        保持体
１１１      支持部
１１１Ａ    支持面
１１２      第１の柱部
１１２Ａ    第１の回動軸体
１１２Ｂ    第１の軸支持部
１１３      第２の柱部
１１３Ａ    第２の回動軸体
１１３Ｂ    第２の軸支持部
１１４      把持部
１１５      保持部
１２Ａ      第１の指保護部
１２Ｂ      第２の指保護部
１３        案内部
１３１      受部
１３１Ａ    配置面
１３２      第１の案内枠体
１３２Ａ    第１の外側部材
１３２Ｂ    第１の側壁部材
１３２Ｃ    第１の内側部材
１３２Ｄ    第１の傾斜部材
１３２Ｅ    第１の外側案内穴
１３２Ｆ    第１の左側スライド経路
１３２Ｇ    第２の左側スライド経路
１３２Ｈ    第１の底部材
１３３      第２の案内枠体
１３３Ａ    第２の外側部材
１３３Ｂ    第２の側壁部材
１３３Ｃ    第２の内側部材
１３３Ｄ    第２の傾斜部材
１３３Ｅ    第２の底部材
１３３Ｆ    第１の右側スライド経路
１４        第１のカバー部
１４１      第１の回動体
１４１Ａ    第１の回動主体部
１４１Ｂ    第１の一端突出部
１４１Ｃ    第１の他端突出部
１４１Ｄ    第１の一端環状部
１４１Ｅ    第１の他端環状部
１４２      第１の上スライド体
１４３      第１の下スライド体
１４３Ａ    第１の下スライド主体部
１４３Ｂ    第１の一端フランジ部
１４３Ｂ１  第１の一端外側張出領域
１４３Ｂ２  第１の一端内側張出領域
１４３Ｂ３  第１の一端外側耳垂領域
１４３Ｂ４  第１の一端内側耳垂領域
１４３Ｃ    第１の他端フランジ部
１４３Ｃ１  第１の他端外側張出領域
１４３Ｃ３  第１の他端外側耳垂領域
１４４      第１の接続部
１４５      第１の一端耳垂凹部
１５        第２のカバー部
１５１      第２の回動体
１５１Ａ    第２の回動主体部
１５１Ｂ    第２の一端突出部
１５１Ｃ    第２の他端突出部
１５１Ｄ    第２の一端環状部
１５１Ｅ    第２の他端環状部
１５２      第２の上スライド体
１５３      第２の下スライド体
１５３Ａ    第２の下スライド主体部
１５３Ｂ    第２の一端フランジ部
１５３Ｂ１  第２の一端外側張出領域
１５３Ｂ２  第２の一端内側張出領域
１５３Ｂ３  第２の一端外側耳垂領域
１５３Ｂ４  第２の一端内側耳垂領域
１５４      第２の接続部
１５５      第２の一端耳垂凹部
１６        第１の錘部
１６１      第１の本体
１６１Ａ    第１の軸体
１６２      第１の左突出体
１６３      第２の左突出体
１７        第２の錘部
１７１      第２の本体
１７１Ａ    第２の軸体
１７２      第１の右突出体
１７３      第２の右突出体
【要約】
【課題】容易に開口部の開閉を行うことができる容器を提供する。
【解決手段】飲料用容器１は、開口部が形成された器体１０と、開口部を閉塞可能かつ開放可能である、第１のカバー部１４及び第２のカバー部と、器体１０の側方に位置しており、かつ、鉛直方向下向き及び鉛直方向上向きにスライド可能である把持部１１４とを備える。第１のカバー部１４及び第２のカバー部に対して鉛直方向下向きに把持部１１４がスライドして第１の位置に到達したときに、第１のカバー部１４及び第２のカバー部は器体１０の開口部を閉塞可能であり、かつ、第１のカバー部１４及び第２のカバー部に対して鉛直方向上向きに把持部１１４がスライドして、把持部１１４がスライドする方向において第１の位置とは反対側の位置である第２の位置に到達したときに、第１のカバー部１４及び第２のカバー部は開口部を開放可能である。
【選択図】図１【図１】
0006633803.tif 000002
【図２】
0006633803.tif 000003
【図３】
0006633803.tif 000004
【図４】
0006633803.tif 000005
【図５】
0006633803.tif 000006
【図６】
0006633803.tif 000007
【図７】
0006633803.tif 000008
【図８】
0006633803.tif 000009